(57)【要約】【課題】  携帯電話をはじめとする搭載メモリが小容量な端末により閲覧されたウェブサイトのコンテンツデータを印刷する印刷システム，印刷方法並びに印刷用プログラムを提供する。【解決手段】  携帯電話２０がウェブサーバ１０に保持された印刷するべきコンテンツデータのアドレス情報等のアクセス情報をプリントサーバ４０に送信し、プリントサーバ４０がアクセス情報を基にウェブサーバ１０にアクセスし、印刷すべきコンテンツデータをダウンロードして複合機３０に送信し、複合機３０がこのコンテンツデータを印刷する。【選択図】図１
2008040991.tif 000002
【特許請求の範囲】
【請求項１】
ネットワーク上でウェブサイトを管理するウェブサーバと、前記ネットワークを介して前記ウェブサイトにアクセスする機能を備えた端末と、前記ネットワークを介してデータ通信を行う機能を備えると共に入力データを印刷するプリンタと、前記ネットワークに接続されたプリントサーバとにより構成され、
前記端末は、前記ウェブサイト内の印刷すべきコンテンツデータにアクセスするためのアクセス情報を含む印刷指示情報を前記プリントサーバへ発信する印刷指示発信手段を備え、
前記プリントサーバは、前記端末からの印刷指示情報に含まれるアクセス情報に従って前記ウェブサーバにアクセスし前記印刷すべきコンテンツデータを取得する印刷データ取得手段と、この取得されたコンテンツデータを前記プリンタへ送信する印刷データ送信手段とを備えたことを特徴とする印刷システム。
【請求項２】
前記請求項１に記載の印刷システムにおいて、
前記端末における印刷指示発信手段が、印刷先として特定されたプリンタのアドレス情報と印刷設定情報と前記アクセス情報とを含む印刷指示情報を前記プリントサーバへ送信する機能を備え、
前記プリントサーバにおける印刷データ送信手段が、前記端末からの印刷指示情報が示すアドレス情報に応じたプリンタへ前記印刷データ取得手段により取得されたコンテンツデータを前記印刷設定情報と共に送信する機能を備えたことを特徴とする印刷システム。
【請求項３】
前記請求項１又は２に記載の印刷システムにおいて、
前記端末における印刷指示送信手段が送信する前記アクセス情報が、印刷すべきコンテンツデータにアクセスするためのアドレス情報及び認証情報であることを特徴とする印刷システム。
【請求項４】
前記請求項２乃至３のいずれか一項に記載の印刷システムにおいて、
前記プリントサーバが、前記印刷データ取得手段で取得されたコンテンツデータのデータ形式を前記端末からの印刷指示情報が示すプリンタの印刷可能な形式に変換するデータ形式変換手段を備えたことを特徴とする印刷システム。
【請求項５】
前記請求項１乃至４のいずれか一項に記載の印刷システムにおいて、
前記プリントサーバが、前記印刷データ取得手段で取得されたコンテンツデータを圧縮するデータ圧縮手段を備えると共に、前記プリンタが、前記プリントサーバからのコンテンツデータを解凍するデータ解凍手段を備えたことを特徴とする印刷システム。
【請求項６】
ネットワーク上でウェブサイトを管理するウェブサーバと、前記ネットワークを介して前記ウェブサイトにアクセスする機能を備えた端末と、前記ネットワークを介してデータ通信を行う機能を備えると共に入力データを印刷するプリンタと、前記ネットワークに接続された閲覧コンテンツ管理サーバ及びプリントサーバとから構成され、
前記端末は、当該端末が前記ウェブサイトのコンテンツデータにアクセスする際に用いた当該コンテンツデータにアクセスするためのアクセス情報を閲覧情報として前記プリントサーバへ送信する閲覧情報送信手段と、前記ウェブサイト内の印刷すべきコンテンツデータにアクセスするためのアクセス情報を含む印刷指示情報を前記プリントサーバへ発信する印刷指示発信手段とを備え、
前記プリントサーバは、前記端末からの閲覧情報に従って前記ウェブサーバにアクセスし対応するコンテンツデータを取得するコンテンツ取得手段と、この取得したコンテンツデータを前記閲覧コンテンツ管理サーバへ送信する閲覧コンテンツ送信手段と、前記端末からの印刷指示情報を前記閲覧コンテンツ管理サーバへ転送する印刷指示転送手段とを備え、
前記閲覧コンテンツ管理サーバは、前記プリントサーバからのコンテンツデータを蓄積する閲覧コンテンツ記憶部と、前記プリントサーバからの印刷指示情報に従って前記閲覧コンテンツ記憶部から対応するコンテンツデータを選出するコンテンツ選出手段と、この選出されたコンテンツデータを前記プリンタへ送信する印刷データ送信手段とを備えたことを特徴とする印刷システム。
【請求項７】
前記請求項６に記載の印刷システムにおいて、
前記閲覧コンテンツ管理サーバが、前記閲覧コンテンツ記憶部に記憶されたコンテンツデータに対して有効期限に達しているか否かを判定する有効期限判定手段と、有効期限に達しているコンテンツデータを消去するコンテンツ消去手段とを備えたことを特徴とする印刷システム。
【請求項８】
ウェブサイトを管理するウェブサーバと前記ウェブサイトにアクセスする機能を備えた端末と通信機能を備えたプリンタと通信機能を備えたプリントサーバとがネットワークを介して相互に接続されており、
前記ウェブサイト内の印刷すべきコンテンツデータにアクセスするためのアクセス情報を含む印刷指示情報を前記端末が前記プリントサーバへ発信する印刷指示発信工程と、
この印刷指示情報に従って前記プリントサーバが前記ウェブサーバにアクセスし前記印刷すべきコンテンツデータを取得する印刷データ取得工程と、
この取得したコンテンツデータを前記プリントサーバが前記プリンタへ送信する印刷データ送信工程と、
前記プリンタが前記プリントサーバからのコンテンツデータを当該プリントサーバからの指示に従って印刷する印刷工程とを設けたことを特徴とする印刷方法。
【請求項９】
前記請求項８に記載の印刷方法において、
前記印刷データ取得工程後に、前記プリントサーバが前記取得したコンテンツデータのデータ形式を前記プリンタの印刷可能な形式に変換するデータ形式変換工程を設けたことを特徴とする印刷方法。
【請求項１０】
前記請求項８または９に記載の印刷方法において、
前記印刷データ取得工程後に、前記プリントサーバが前記取得したコンテンツデータを圧縮するデータ圧縮工程を設けると共に、前記印刷工程前に、前記プリンタが前記プリントサーバからのコンテンツデータを解凍するデータ解凍工程を設けたことを特徴とする印刷方法。
【請求項１１】
ウェブサイトを管理するウェブサーバと前記ウェブサイトにアクセスする機能を備えた端末と通信機能を備えたプリンタと通信機能を備えたプリントサーバ及び閲覧コンテンツ管理サーバとがネットワークを介して相互に接続されており、
前記端末によりアクセスされたウェブサイトのコンテンツデータにアクセスするためのアクセス情報を当該端末から前記プリントサーバへ送信するアクセス情報送信工程と、このアクセス情報に従って前記プリントサーバが前記ウェブサーバにアクセスし対応するコンテンツデータを取得するコンテンツデータ取得工程と、この取得したコンテンツデータをそれに対応するアクセス情報と共に前記プリントサーバが前記閲覧コンテンツ管理サーバへ送信するコンテンツデータ送信工程と、このアクセス情報に対応付けられたコンテンツデータを前記閲覧コンテンツ管理サーバが蓄積するコンテンツデータ記憶工程とを設けると共に、
印刷すべきコンテンツデータにアクセスするためのアクセス情報を含む印刷指示情報を前記端末が前記プリントサーバへ発信する印刷指示発信工程と、この印刷指示情報を前記プリントサーバが前記閲覧コンテンツ管理サーバへ転送する印刷指示転送工程と、この印刷指示情報に含まれるアクセス情報に基づいて前記閲覧コンテンツ管理サーバが前記印刷すべきコンテンツデータを選出する印刷データ選出工程と、この選出されたコンテンツデータを前記閲覧コンテンツ管理サーバが前記プリンタへ送信する印刷データ送信工程と、前記プリンタが前記閲覧コンテンツ管理サーバからのコンテンツデータを当該閲覧コンテンツ管理サーバからの指示に従って印刷する印刷工程とを設けたことを特徴とする印刷方法。
【請求項１２】
前記請求項１１に記載の印刷方法において、
前記アクセスデータ記憶工程後に、前記閲覧コンテンツ管理サーバが、蓄積しているコンテンツデータに対して有効期限に達しているか否かを判定する有効期限判定工程と、有効期限に達しているコンテンツデータを前記閲覧コンテンツ管理サーバが消去するコンテンツ消去工程とを設けたことを特徴とする印刷方法。
【請求項１３】
端末がアクセスしたウェブサーバが管理しているウェブサイトのコンテンツを印刷するための印刷用プログラムにおいて、
前記ウェブサイト内の印刷すべきコンテンツデータにアクセスするためのアクセス情報を含む印刷指示情報を前記端末から受信する印刷指示情報受信処理と、このアクセス情報に従って前記ウェブサイトにアクセスし前記印刷すべきコンテンツデータを読み込む印刷データ読込処理と、この読み込んだコンテンツデータをプリンタへ送信する印刷指示処理とをコンピュータに実行させることを特徴とする印刷用プログラム。
【請求項１４】
前記請求項１３に記載の印刷用プログラムにおいて、
前記印刷データ読込処理において読み込んだコンテンツデータのデータ形式を前記プリンタの印刷可能な形式に変換するデータ形式変換処理を前記コンピュータに実行させることを特徴とする印刷用プログラム。
【請求項１５】
前記請求項１３又は１４に記載の印刷用プログラムにおいて、
前記印刷データ読込処理において読み込んだコンテンツデータを圧縮するデータ圧縮処理を前記コンピュータに実行させることを特徴とする印刷用プログラム。
【請求項１６】
前記請求項１３乃至１５のいずれか一項に記載の印刷用プログラムにおいて、
前記端末によりアクセスされたウェブサイトのコンテンツデータにアクセスするためのアクセス情報を当該端末から受信するデータアクセス情報受信処理と、このアクセス情報に従って対応するコンテンツデータにアクセスしそのコンテンツデータを読み込むデータ読込処理と、この読み込んだコンテンツデータをそれに対応するアクセス情報と共に蓄積するコンテンツデータ記憶処理とを前記コンピュータに実行させると共に、
前記印刷データ読込処理を、前記コンテンツデータ記憶処理において蓄積したコンテンツデータのうちから前記印刷指示情報読込処理において読み込まれた印刷指示情報に対応したコンテンツデータを読み出すようにその内容を特定したことを特徴とする印刷用プログラム。
【請求項１７】
前記請求項１３乃至１６のいずれか一項に記載の印刷用プログラムにおいて、
前記コンテンツデータ記憶処理により蓄積されているコンテンツデータに対して有効期限に達しているか否かを判定する有効期限判定処理と、有効期限に達しているコンテンツデータを消去するコンテンツ消去処理とを前記コンピュータに実行させることを特徴とする印刷用プログラム。
【発明の詳細な説明】
【技術分野】
【０００１】
本発明は、ウェブサイトのコンテンツを印刷するための印刷システム，印刷方法並びに印刷用プログラムに関し、特に、携帯電話で閲覧したウェブサイトのコンテンツを印刷するための印刷システム，印刷方法並びに印刷用プログラムに関する。
【背景技術】
【０００２】
近年一般に、携帯電話は、ウェブプラウザを搭載してインターネット上のウェブサイト（パソコン向けサイト，携帯電話向けサイト）にアクセスし、そのサイトを画面に表示することで、ユーザにウェブサイトを閲覧させている。このような、携帯電話によるウェブサイトの閲覧が普及するなかで、便宜上、携帯電話によって閲覧されているウェブサイトの表示画面やウェブサイトが提供する文字，画像，動画等のコンテンツを紙に印刷することが求められている。
【０００３】
携帯電話により閲覧されたウェブサイトのコンテンツを印刷する方法として、携帯電話とプリンタとを直接接続して、携帯電話で受信したコンテンツデータを直接プリンタに出力することが考えられるが、携帯電話に搭載されたメモリは小容量であるため、表示したウェブサイトのウェブページを蓄積しておくのは困難であり、このメモリにプリンタのデバイスドライバを記憶させておくのは事実上不可能であるという課題があった。
【０００４】
また、別の方法として、パソコンからそのウェブサイトにアクセスして印刷を行う方法もあるが、この場合、煩雑な作業になりユーザに負担をかける事になると共に、携帯電話向けサイトのコンテンツは印刷することができないという問題があった。
【０００５】
このような課題を鑑みて、携帯電話とプリンタとを通信ネットワークを介して接続し、その通信ネットワーク上に印刷サーバを設け、この印刷サーバにプリンタのデバイスドライバを記憶させておくことで、印刷サーバが、携帯電話から印刷指示を受信しプリンタにコンテンツデータの印刷を指示する印刷システムが特許文献１に開示されている。
【０００６】
また、端末が、印刷サーバに格納されたコンテンツから印刷すべきコンテンツを指定し、その指定されたコンテンツを最寄のプリンタがダウンロードして印刷する印刷システムが特許文献２で開示されている。
【０００７】
【特許文献１】再特ＷＯ２００２／０４６９０５号公報
【特許文献２】特開２００３‐３００９５号公報
【発明の開示】
【発明が解決しようとする課題】
【０００８】
しかしながら、特許文献１に記載の印刷システムは、携帯電話にプリンタのデバイスドライバを記憶させることができないという問題については解消されているが、印刷するコンテンツデータについては、携帯電話が記憶しているデータか、印刷サーバが記憶しているデータか、あるいは、別のサーバに記憶されているとしても、印刷サーバが携帯電話にコンテンツデータを選択させるための情報を送信していることから、印刷サーバの管理下にあるデータを想定しており、一般にインターネット上に設置された様々なウェブサーバのウェブサイトが提供するコンテンツデータを印刷することはできないという不都合があった。
【０００９】
また、特許文献２に記載の印刷システムでは、特別に用意された印刷サーバに予め格納されているコンテンツデータを印刷するだけで、ユーザが携帯電話により一般のウェブサイトを閲覧しているときに、そのウェブサイトが提供するコンテンツデータを印刷することはできないという不都合があった。
【００１０】
そこで、本発明は、上記従来技術の不都合を改善し、携帯電話をはじめとする搭載メモリが小容量な通信端末で閲覧したウェブサイトのコンテンツデータを印刷する印刷システム，印刷方法並びに印刷用プログラムを提供することを、その目的とする。
【課題を解決するための手段】
【００１１】
上記目的を達成するため、本発明の印刷システムは、ネットワーク上でウェブサイトを管理するウェブサーバと、ネットワークを介してウェブサイトにアクセスする機能を備えた端末と、ネットワークを介してデータ通信を行う機能を備えたプリンタと、ネットワークに接続されたプリントサーバとにより構成され、端末は、ウェブサイト内の印刷すべきコンテンツデータにアクセスするためのアクセス情報を含む印刷指示情報をプリントサーバへ発信する印刷指示発信手段を備え、プリントサーバは、端末からの印刷指示情報に含まれるアクセス情報に従ってウェブサーバにアクセスし印刷すべきコンテンツデータを取得する印刷データ取得手段と、この取得されたコンテンツデータをプリンタへ送信する印刷データ送信手段とを備えたことを特徴とする（請求項１）。
【００１２】
このような印刷システムによれば、端末からの印刷指示情報に従って、プリントサーバが印刷すべきコンテンツデータを指定のウェブサーバからダウンロードしてプリンタに送信し、プリンタがこのコンテンツデータを印刷する。よって、端末に搭載されたメモリが小容量であっても、この端末により閲覧されたウェブサイトを印刷することができる。
【００１３】
また、上記の印刷システムにおいて、上述した端末における印刷指示発信手段が、印刷先として特定されたプリンタのアドレス情報と印刷設定情報とアクセス情報とを含む印刷指示情報をプリントサーバへ送信する機能を備え、プリントサーバにおける印刷データ送信手段が、端末からの印刷指示情報が示すアドレス情報に応じたプリンタへ印刷データ取得手段により取得されたコンテンツデータを印刷設定情報と共に送信する機能を備えてもよい（請求項２）。
【００１４】
このようにすると、端末が発信する印刷指示情報に印刷させるプリンタのアドレス情報とどのように印刷するかを示す印刷設定情報とが含まれるので、端末により閲覧されたウェブサイトを、ユーザの指定したプリンタで印刷することができる。
【００１５】
又、上記の印刷システムにおいて、上述した端末における印刷指示送信手段が送信するアクセス情報が、印刷すべきコンテンツデータにアクセスするためのアドレス情報及び認証情報であってもよい（請求項３）。
【００１６】
このようにすると、閲覧に際して認証が必要なコンテンツを印刷する場合、このコンテンツにアクセスするために入力するべきユーザＩＤやパスワード等の認証情報をプリントサーバに送るので、プリントサーバは、認証情報を用いて、そのコンテンツデータを取得することができる。
【００１７】
さらに、上記の印刷システムにおいて、上述したプリントサーバが、印刷データ取得手段で取得されたコンテンツデータのデータ形式を端末からの印刷指示情報が示すプリンタの印刷可能な形式に変換するデータ形式変換手段を備えてもよい（請求項４）。このようにすると、データ形式に関わらず、あらゆるコンテンツデータをプリンタに印刷させることができる。
【００１８】
またさらに、上記の印刷システムにおいて、上述したプリントサーバが、印刷データ取得手段で取得されたコンテンツデータを圧縮するデータ圧縮手段を備えると共に、プリンタが、プリントサーバからのコンテンツデータを解凍するデータ解凍手段を備えてもよい（請求項５）。このようにすると、プリントサーバとプリンタ間におけるデータ送受信にかかる時間を短縮することができる。
【００１９】
また、本発明の印刷システムは、ネットワーク上でウェブサイトを管理するウェブサーバと、ネットワークを介してウェブサイトにアクセスする機能を備えた端末と、ネットワークを介してデータ通信を行う機能を備えたプリンタと、ネットワークに接続された閲覧コンテンツ管理サーバ及びプリントサーバとから構成され、端末は、当該端末がウェブサイトのコンテンツデータにアクセスする際に用いた当該コンテンツデータにアクセスするためのアクセス情報を閲覧情報としてプリントサーバへ送信する閲覧情報送信手段と、ウェブサイト内の印刷すべきコンテンツデータにアクセスするためのアクセス情報を含む印刷指示情報をプリントサーバへ発信する印刷指示発信手段とを備え、プリントサーバは、端末からの閲覧情報に従ってウェブサーバにアクセスし対応するコンテンツデータを取得するコンテンツ取得手段と、この取得したコンテンツデータを閲覧コンテンツ管理サーバへ送信する閲覧コンテンツ送信手段と、端末からの印刷指示情報を閲覧コンテンツ管理サーバへ転送する印刷指示転送手段とを備え、閲覧コンテンツ管理サーバは、プリントサーバからのコンテンツデータを蓄積する閲覧コンテンツ記憶部と、プリントサーバからの印刷指示情報に従って閲覧コンテンツ記憶部から対応するコンテンツデータを選出するコンテンツ選出手段と、この選出されたコンテンツデータをプリンタへ送信する印刷データ送信手段とを備えたことを特徴とする（請求項６）。
【００２０】
このような印刷システムによれば、端末により閲覧されたウェブサイトのコンテンツデータを閲覧コンテンツ管理サーバに蓄積するので、ユーザは、端末で閲覧したコンテンツを印刷したいときにまとめて印刷することができる。
【００２１】
また、この印刷システムにおいて、上述した閲覧コンテンツ管理サーバが、閲覧コンテンツ記憶部に記憶されたコンテンツデータに対して有効期限に達しているか否かを判定する有効期限判定手段と、有効期限に達しているコンテンツデータを消去するコンテンツ消去手段とを備えてもよい（請求項７）。
【００２２】
このようにすると、閲覧コンテンツ管理サーバの閲覧コンテンツ記憶部の記憶容量を維持することができ、データの長期保存による情報漏洩のリスクを軽減できる。
【００２３】
次に、本発明の印刷方法は、ウェブサイトを管理するウェブサーバとウェブサイトにアクセスする機能を備えた端末と通信機能を備えたプリンタと通信機能を備えたプリントサーバとがネットワークを介して相互に接続されており、ウェブサイト内の印刷すべきコンテンツデータにアクセスするためのアクセス情報を含む印刷指示情報を端末がプリントサーバへ発信する印刷指示発信工程と、この印刷指示情報に従ってプリントサーバがウェブサーバにアクセスし印刷すべきコンテンツデータを取得する印刷データ取得工程と、この取得したコンテンツデータをプリントサーバがプリンタへ送信する印刷データ送信工程と、プリンタがプリントサーバからのコンテンツデータを当該プリントサーバからの指示に従って印刷する印刷工程とを設けたことを特徴とする（請求項８）。
【００２４】
このような印刷方法によれば、端末がウェブサイト内の印刷するべきコンテンツデータのアドレス情報等のアクセス情報をプリントサーバに送信し、プリントサーバがアクセス情報を基に印刷すべきコンテンツデータを指定のウェブサーバからダウンロードしてプリンタに送信し、プリンタがこのコンテンツデータを印刷する。よって、端末に搭載されたメモリが小容量であっても、この端末により閲覧されたウェブサイトを印刷することができる。
【００２５】
また、上記の印刷方法は、上述した印刷データ取得工程後に、プリントサーバが取得したコンテンツデータのデータ形式をプリンタの印刷可能な形式に変換するデータ形式変換工程を設けてもよい（請求項９）。
【００２６】
このようにすると、データ形式に関わらず、あらゆるコンテンツデータをプリンタに印刷させることができる。
【００２７】
更に、上記の印刷方法は、上述した印刷データ取得工程後に、プリントサーバが取得したコンテンツデータを圧縮するデータ圧縮工程を設けると共に、上述した印刷工程前に、プリンタがプリントサーバからのコンテンツデータを解凍するデータ解凍工程を設けてもよい（請求項１０）。
【００２８】
このようにすると、プリントサーバと閲覧コンテンツ管理サーバとプリンタ間におけるデータ送受信にかかる時間を短縮することができる。
【００２９】
また、本発明の印刷方法は、ウェブサイトを管理するウェブサーバとウェブサイトにアクセスする機能を備えた端末と通信機能を備えたプリンタと通信機能を備えたプリントサーバ及び閲覧コンテンツ管理サーバとがネットワークを介して相互に接続されており、端末によりアクセスされたウェブサイトのコンテンツデータにアクセスするためのアクセス情報を当該端末からプリントサーバへ送信するアクセス情報送信工程と、このアクセス情報に従ってプリントサーバがウェブサーバにアクセスし対応するコンテンツデータを取得するコンテンツデータ取得工程と、この取得したコンテンツデータをそれに対応するアクセス情報と共にプリントサーバが閲覧コンテンツ管理サーバへ送信するコンテンツデータ送信工程と、このアクセス情報に対応付けられたコンテンツデータを閲覧コンテンツ管理サーバが蓄積するコンテンツデータ記憶工程とを設けると共に、印刷すべきコンテンツデータにアクセスするためのアクセス情報を含む印刷指示情報を端末がプリントサーバへ発信する印刷指示発信工程と、この印刷指示情報をプリントサーバが閲覧コンテンツ管理サーバへ転送する印刷指示転送工程と、この印刷指示情報に含まれるアクセス情報に基づいて閲覧コンテンツ管理サーバが印刷すべきコンテンツデータを選出する印刷データ選出工程と、この選出されたコンテンツデータを閲覧コンテンツ管理サーバがプリンタへ送信する印刷データ送信工程と、プリンタが閲覧コンテンツ管理サーバからのコンテンツデータを当該閲覧コンテンツ管理サーバからの指示に従って印刷する印刷工程とを設けたことを特徴とする（請求項１１）。
【００３０】
このような印刷方法によれば、端末により閲覧されたウェブサイトのコンテンツデータを、プリンタサーバがウェブサーバから取得して閲覧コンテンツ管理サーバに送信し、閲覧コンテンツ管理サーバが、このコンテンツデータを蓄積すると共に、端末からの印刷指示情報に従って、該当するコンテンツデータを選んでプリンタに送る。よって、ユーザは、端末で閲覧したコンテンツを印刷したいときにまとめて印刷することができる。
【００３１】
また、この印刷方法は、上述したアクセスデータ記憶工程後に、閲覧コンテンツ管理サーバが、蓄積しているコンテンツデータに対して有効期限に達しているか否かを判定する有効期限判定工程と、有効期限に達しているコンテンツデータを閲覧コンテンツ管理サーバが消去するコンテンツ消去工程とを設けてもよい（請求項１２）。
【００３２】
このようにすると、閲覧コンテンツ管理サーバの閲覧コンテンツ記憶部の記憶容量を維持することができ、かつ、データの長期保存による情報漏洩のリスクを軽減できる。
【００３３】
次に、本発明の印刷用プログラムは、端末がアクセスしたウェブサーバが管理しているウェブサイトのコンテンツを印刷するための印刷用プログラムであり、ウェブサイト内の印刷すべきコンテンツデータにアクセスするためのアクセス情報を含む印刷指示情報を端末から受信する印刷指示情報受信処理と、このアクセス情報に従ってウェブサイトにアクセスし印刷すべきコンテンツデータを読み込む印刷データ読込処理と、この読み込んだコンテンツデータをプリンタへ送信する印刷指示処理とをコンピュータに実行させることを特徴とする（請求項１３）。
【００３４】
また、上記の印刷用プログラムは、上述した印刷データ読込処理において読み込んだコンテンツデータのデータ形式をプリンタの印刷可能な形式に変換するデータ形式変換処理をコンピュータに実行させてもよい（請求項１４）。
【００３５】
更に、上記の印刷用プログラムは、上述した印刷データ読込処理において読み込んだコンテンツデータを圧縮するデータ圧縮処理をコンピュータに実行させてもよい（請求項１５）。
【００３６】
また、上記の印刷用プログラムは、端末によりアクセスされたウェブサイトのコンテンツデータにアクセスするためのアクセス情報を当該端末から受信するデータアクセス情報受信処理と、このアクセス情報に従って対応するコンテンツデータにアクセスしそのコンテンツデータを読み込むデータ読込処理と、この読み込んだコンテンツデータをそれに対応するアクセス情報と共に蓄積するコンテンツデータ記憶処理とをコンピュータに実行させると共に、上述した印刷データ読込処理を、コンテンツデータ記憶処理において蓄積したコンテンツデータのうちから印刷指示情報読込処理において読み込まれた印刷指示情報に対応したコンテンツデータを読み出すようにその内容を特定してもよい（請求項１６）。
【００３７】
又更に、上記の印刷用プログラムは、上述したコンテンツデータ記憶処理により蓄積されているコンテンツデータに対して有効期限に達しているか否かを判定する有効期限判定処理と、有効期限に達しているコンテンツデータを消去するコンテンツ消去処理とをコンピュータに実行させてもよい（請求項１７）。
【００３８】
このような印刷用プログラムによれば、上述した本発明の印刷システム及び印刷方法と同様の作用効果を得ることができる。
【発明の効果】
【００３９】
本発明は以上のように構成され機能するため、これにより、端末が印刷すべきコンテンツデータのアドレス情報をプリントサーバに送信し、プリントサーバがそのアドレス情報を基にウェブサーバにアクセスし、印刷すべきコンテンツデータをダウンロードしてプリンタに送信するので、携帯電話をはじめとする搭載メモリの記憶容量が小さい端末で閲覧したパソコン向けサイトや携帯電話向けサイトのコンテンツデータを印刷することができる。
【発明を実施するための最良の形態】
【００４０】
以下、本発明における一実施形態を、図面を参照して説明する。
【００４１】
［第１実施形態］
図１は、本発明にかかる第１実施形態の印刷システムの全体構成を示すブロック図である。
【００４２】
本第１実施形態の印刷システムは、ネットワーク１００上でウェブサイトを管理するウェブサーバ１０と、ネットワーク１００を介してウェブサイトにアクセスする機能を備えた端末としての携帯電話２０と、ネットワーク１００を介してデータ通信を行う機能を備えると共に入力データを印刷する機能を備えた複合機３０と、ネットワーク１００に接続されたプリントサーバ４０とから構成されている。
【００４３】
ウェブサーバ１０は、ネットワーク１００上に複数設置されており、携帯電話２０は、各ウェブサイト１０にアクセスすることで、ユーザに様々な内容のウェブサイトを閲覧させることができる。また、ウェブサイト１０と携帯電話２０との間にプロトコルが異なるデータを相互に変換して通信を可能にするゲータウェイ装置を設ける場合があってもよい。
【００４４】
ここで、本第１実施形態では、携帯電話２０を用いて構成されているが、これに限らず、ウェブサイトを表示するプラウザ機能を搭載した通信端末であればスマートフォンやＰＤＡ等を用いて構成してもよい。
【００４５】
複合機３０は、プリンタにスキャナやＦＡＸ、Ｅメール等の機能が統合されたネットワーク対応機器である。本実施形態では、複数の複合機３０が様々な場所に設置されているものとする。
【００４６】
図１に示す携帯電話２０は、入力アドレスに従って各ウェブサーバ１０にアクセスし、パソコン向けサイトまたは携帯電話向けサイトを画面に表示する表示部２１と、表示部２１で表示したウェブサイトのコンテンツを印刷する際に、ユーザの操作によるデータ入力により印刷条件を設定し印刷設定情報を作成する印刷条件設定部２２と、同じくウェブサイトのコンテンツを印刷する際に、印刷するべきコンテンツデータにアクセスするためのアドレス情報及び認証情報等を含むアクセス情報と作成された印刷設定情報と携帯電話２０の個別データとを収集する情報収集部２３と、印刷設定情報を一時記憶する印刷設定記憶部２４と、収集された情報を印刷指示情報としてプリントサーバ４０へ発信する印刷指示発信手段２５とを備えて構成されている。
【００４７】
印刷条件設定部２２で作成される印刷設定情報は、複合機３０のネットワーク上での位置を示すＬｏｃａｔｉｏｎ情報（アドレス情報）、両面印刷するか否かを示す両面設定、印刷部数を示す部数、印刷の品質、印刷する用紙の種類、用紙サイズ、白黒若しくはカラーのいずれで印刷するかを設定するカラー設定に分類される。この分類は、これらに限定されるものではなく、必要に応じて分類を追加することも可能とする。
【００４８】
印刷条件設定部２２は、前回印刷したときと同じ印刷設定をする場合には、設定処理を省略する。このとき、印刷条件設定部２２は、印刷設定記憶部２４に記憶されている情報から前回の印刷設定情報を読み出す。ここで、印刷条件設定部２２は、印刷設定情報の各設定項目毎に、前回の印刷時と同じ設定でよいかをユーザに確認するように構成してもよい。また、印刷設定情報の各設定項目のうち、印刷実行毎に設定が異なる可能性が高い項目（印刷部数等）については、印刷を実行する毎に毎回設定するように構成してもよい。
【００４９】
情報収集部２３において収集される携帯電話２０の個別データは、携帯電話２０の電話番号や電子メールアドレス等である。アクセス情報は、コンテンツのネットワーク上での位置を示すＬｏｃａｔｉｏｎ情報（アドレス情報）と、認証が必要なコンテンツである場合の認証時に入力するべき認証情報（ユーザＩＤ，パスワード等）と、コンテンツ閲覧時に必要な他の情報を示す追加情報とで構成されている。
【００５０】
情報収集部２３は、以前に同じ認証情報を含むアクセス情報を収集したことがある場合に、アクセス情報には、認証情報に代えて、当該コンテンツの取得に認証が必要であることを示す情報（フラグ等）を格納する機能を備えている。
【００５１】
これにより、認証が必要なコンテンツを印刷する場合において、最初の印刷時のみに認証情報（ユーザＩＤ、パスワード等）を送信することとなり、セキュリティが向上する。また、最初の印刷時の認証情報を送信する際に、認証情報を暗号化して送信してもよい。これにより、セキュリティをより強固にできる。また、認証情報をプリントサーバ４０に予め登録しておいてもよい。この場合、認証情報自体を送信せず、認証が必要であることを示す情報を送信する。認証情報自体をネットワーク上に送信する必要がなくなるので、セキュリティがより向上する。
【００５２】
更に、情報収集部２３は、アクセス情報，印刷設定情報及び個別データを図４に示すようなフォーマットに整え、フォーマットに整えたデータを、印刷指示発信手段２５に送る機能を備えている。また、情報収集部２３は、収集した印刷設定情報を印刷設定記憶部２４へ送る機能を備えている。
【００５３】
印刷設定記憶部２４は、図３に示すように、利用した複合機ごとに、前回印刷時の印刷設定情報を記憶する機能を備えている。
【００５４】
図１に示すプリントサーバ４０は、携帯電話２０から発信された印刷指示情報を受信する印刷指示情報受信手段４１と、受信された印刷指示情報に含まれるアクセス情報に従ってウェブサーバ１０にアクセスし印刷すべきコンテンツデータを取得する印刷データ取得手段４２と、このコンテンツデータを複合機４０へ送信する印刷データ送信手段４３とを備えている。
【００５５】
さらに、プリントサーバ４０は、携帯電話２０に対して、印刷設定情報の内容では印刷できない旨や印刷設定情報で指定された複合機が存在しない旨等の様々な通知を実行する通知部４４と、印刷データ取得手段４２で取得されたコンテンツデータのデータ形式を携帯電話２０からの印刷指示情報が示す複合機３０の印刷可能な形式に変換するデータ形式変換手段４５と、印刷データ取得手段４２で取得されたコンテンツデータを圧縮するデータ圧縮手段４６と、各種データを記憶するデータベース４７とを備えて構成されている。
【００５６】
図２は、図１に示すプリントサーバの構成を示すブロック図である。データベース４７は、携帯電話の個別データ毎に印刷したコンテンツに関する情報及び印刷設定情報を示すユーザデータ４７ａとプリンタサーバ４０が利用可能な複合機毎に当該複合機で可能な印刷設定を示す複合機データ４７ｂとを記憶しており、ユーザデータ４７ａは、図５に示すような構成で記憶されており、複合機データ４７ｂは、図６に示すような構成で記憶されている。
【００５７】
印刷指示情報受信手段４１は、データベース４７のユーザデータ４７ａを参照し、受信した携帯電話２０の個別データと一致するデータレコードの有無を確認する第１データベース参照部４１ａと、第１データベース参照部４１ａにより一致するデータレコードの存在が確認された場合、携帯電話２０によるアクセスを許可し、一致するデータレコードが無い場合、携帯電話１０によるアクセスを拒否するアクセス制御部４１ｂと、アクセス制御部４１ｂによりアクセスが許可された場合、受信した印刷指示情報を記憶する受信データ記憶部４１ｃとを備えている。
【００５８】
印刷データ取得手段４２は、第１受信データ取得部４２ａと第２データベース参照部４２ｂとアクセス部４２ｃとを備えている。
【００５９】
第１受信データ取得部４２ａは、受信データ記憶部４１ｃに記憶されている印刷指示情報に含まれるアクセス情報を取得し、そのアクセス情報を第２データベース参照部４２ｂ及びアクセス部４２ｃへ送る機能を有している。第２データベース参照部４２ｂは、取得したアクセス情報に認証が必要であることを示す情報が付加されている場合、データベース４７のユーザデータ４７ａを参照し対応する認証情報を取得しアクセス部４２ｃへ送る機能を有している。アクセス部４２ｃは、第１受信データ取得部４２ａ及び第２データベース参照部４２ｂより受け取ったアクセス情報に基づいてウェブサーバ１０にアクセスしコンテンツデータを取得する機能を有している。
【００６０】
印刷データ送信手段４３は、第２受信データ取得部４３ａと第３データベース参照部４３ｂと送信部４３ｃとを備えている。
【００６１】
第２受信データ取得部４３ａは、受信データ記憶部４１ｃに記憶されている印刷指示情報に含まれる個別データ及び印刷設定情報を取得し、その個別データ及び印刷設定情報を第３データベース参照部４３ｂ及び送信部４３ｃに送る機能を有している。
【００６２】
第３データベース参照部４３ｂは、第２受信データ取得部４３ａからの印刷設定情報のＬｏｃａｔｉｏｎ情報をキーに、データベース４７の複合機データ４７ｂを参照し、当該印刷設定情報の各分類が、該当する複合機で可能であるか否か判定し、可能である場合には、当該印刷設定情報をそのまま送信部４３ｃへ送り、不可能なものがある場合は、可能な設定の中から最適なものに印刷設定情報を設定し直して送信部４３ｃへ送る機能を有している。ここで、通知部４４を介して、携帯電話２０に対して、指定した印刷設定情報では印刷できない旨を通知するようにしてもよい。印刷設定情報のＬｏｃａｔｉｏｎ情報をキーに複合機データ４７ｂを参照し、該当する複合機データ４７ｂがない場合、通知部４４を介して、ユーザが指定した複合機は利用不可であることを通知する。通知する際には、個別データを用いる。例えば、個別データに携帯電話２０のメールアドレスが用いられている場合、当該アドレスにメールを配信することにより通知を行う。
【００６３】
送信部４３ｃは、印刷データ取得手段４２が取得したコンテンツデータと第３データベース参照部４３ｂから受け取った印刷設定情報及び個別データとを複合機３０に送信する機能を有している。
【００６４】
図１に示す複合機３０は、印刷するコンテンツデータ，印刷設定情報及び個別データを受信する受信部３１と、圧縮されているコンテンツデータを解凍するデータ解凍手段３２と、ユーザが印刷を指定したコンテンツの印刷準備が完了したことを通知する準備完了通知部３３と、準備完了通知部３３による通知を確認したユーザによる操作により、印刷開始指示を入力する印刷開始指示部３４と、受信したコンテンツの印刷を実行する印刷部３５と、を備えている。
【００６５】
準備完了通知部３３は、例えば、複合機３０の表示画面等に、ユーザが指定したコンテンツに関する情報（ＵＲＬ等）を表示し、当該コンテンツの印刷準備が完了したことを通知する。
【００６６】
印刷開始指示部３４は、液晶画面のタッチパネルやボタン等により構成されており、ユーザがタッチパネル等を操作し印刷開始データを入力する。ここで、準備完了通知部３３が印刷の準備が完了したことを通知してから所定の時間内に印刷開始指示部が操作されない場合、印刷対象のコンテンツや個別データを消去し、印刷が不可能な状態にするようにしてもよい。
【００６７】
準備完了通知部３３及び印刷開始指示部３４により、複合機３０の近くにユーザが存在し、ユーザにより印刷開始の指示が入力された場合のみ、印刷することができる。これにより、ユーザが印刷物を取り忘れることを防止することができる。また、重要な印刷物の取り忘れを防止することもでき、情報流出を防止することができる。
【００６８】
印刷部３５は、印刷が完了後、受信部３１が受信したコンテンツデータに関する情報と、個別データ及び印刷設定情報とを消去するようにしてもよい。このように所定の情報を複合機３０に残さないようにすることで、情報流出を防止することができる。
【００６９】
次に、本第１実施形態の全体の動作について説明する。ここで、本発明にかかる印刷方法についても、その各工程を示して説明する。
【００７０】
図７は、本第１実施形態の印刷システムの全体の動作を示すシーケンス図である。
【００７１】
まず、携帯電話２０は、ユーザの操作によってブラウザが起動され、ＵＲＬアドレスやパスワード等のアクセス情報が入力されると、そのアクセス情報に従ってウェブサーバ１０にアクセスする（図７：ステップＳ１）。ウェブサーバ１０にアクセスした携帯電話２０は、ウェブサーバ１０に格納されているウェブページデータを読み込む（図７：ステップＳ２）。そして、携帯電話２０では、表示部２１よって、パソコン用サイト、または、携帯用サイトのウェブページが画面に表示される（図７：ステップＳ３）。
【００７２】
携帯電話２０において、ユーザの操作により、印刷するウェブサイト内のコンテンツが指定され、そのコンテンツを印刷するための印刷条件データが印刷条件設定部２２に入力される（図７：ステップＳ４）。印刷条件データが入力されると、印刷するコンテンツデータにアクセスするためのアクセス情報と印刷設定情報とを含む印刷指示情報が情報収集部２３によって収集され、その収集された情報が、印刷指示情報発信手段２５によってプリントサーバ４０へ発信される（図７：ステップＳ５，印刷指示発信工程）。
【００７３】
続いて、プリントサーバ４０では、印刷指示情報受信手段４１が印刷指示情報を受信し、印刷データ取得手段４２が、印刷指示情報に含まれているアクセス情報を基に、ウェブサーバ１０へアクセスし（図７：ステップＳ６）、印刷すべきコンテンツデータをダウンロードする（図７：ステップＳ７，印刷データ取得工程）。このとき、プリントサーバ４０がアクセスしたウェブサーバ１０のウェブサイトでＩＤ・パスワード入力が必要な場合、プリントサーバ４０は、携帯電話２０から受信したアクセス情報に含まれるＩＤ・パスワードなどの認証情報を入力し、サイトにアクセスする。
【００７４】
ここで、上述したプリントサーバ４０が印刷指示情報を受信する動作及び印刷データ取得工程については、その内容をプログラム化し印刷設定情報受信処理及び印刷データ読込処理としてプリントサーバ４０の動作を制御するコンピュータに実行させてもよい。
【００７５】
プリントサーバ４０において、データ形式変換手段４５によって、ダウンロードされたコンテンツデータの形式が複合機３０で印刷可能なデータ形式に変換され（図７：ステップＳ８，データ形式変換工程）、データ圧縮手段４６が、そのコンテンツデータを圧縮する（図７：ステップＳ９，データ圧縮工程）。そして、印刷データ送信手段４３によって、このコンテンツデータと印刷設定情報とが複合機３０へ送信される（図７：ステップＳ１０，印刷データ送信工程）。
【００７６】
ここで、上述したデータ形式変換工程，データ圧縮工程及び印刷データ送信工程については、その内容をプログラム化しデータ形式変換処理，データ圧縮処理及び印刷指示処理としてプリントサーバ４０の動作を制御するコンピュータに実行させてもよい。
【００７７】
続いて、複合機３０では、受信部３１が、プリントサーバ４０から送信されたコンテンツデータと印刷設定情報とを受信し、データ解凍手段３２が、圧縮されているコンテンツデータを解凍する（図７：ステップＳ１１）。そして、印刷部３５が、印刷設定情報に基づいてコンテンツデータを印刷する（図７：ステップＳ１２，印刷工程）。
【００７８】
ここで、本第１実施形態は、プリントサーバ４０と複合機３０とを設けて構成されているが、これに限らず、プリントサーバ４０と複合機３０とに代えて、プリントサーバ４０の機能を搭載した複合機を設けて構成してもよい。
【００７９】
このような第１実施形態によれば、ユーザは携帯電話２０で閲覧したパソコン用サイト又は携帯電話用サイトの情報コンテンツを印刷することができる。例えば、携帯電話２０の画面では見にくかったサイトを紙に印刷して見ることができるなどのメリットがある。
【００８０】
［第２実施形態］
次に、本発明の第２実施形態について説明する。
【００８１】
図８は、本発明にかかる第２実施形態の印刷システムの全体構成を示すブロック図である。
【００８２】
本第２実施形態の印刷システムは、ネットワーク１００上でウェブサイトを管理するウェブサーバ１０と、ネットワーク１００を介してウェブサイトにアクセスする機能を備えた携帯電話５０と、ネットワーク１００を介してデータ通信を行う機能を備えると共に入力データを印刷する機能を備えた２複合機３０と、ネットワーク１００に接続されたプリントサーバ６０及び閲覧コンテンツ管理サーバ７０とから構成されている。
【００８３】
ここで、本第２実施形態においては、上述した第１実施形態と同様に、ウェブサーバ１０が、ネットワーク１００上に複数設置されており、携帯電話５０は、各ウェブサイト１０にアクセスすることで様々な内容のウェブサイトを表示することができる。又、複合機３０は、プリンタにスキャナやＦＡＸ、Ｅメール等の機能が統合されたネットワーク対応機器であり、複数の複合機３０が様々な場所に設置されている。
【００８４】
ここで、本第２実施形態では、携帯電話５０を用いて構成されているが、これに限らず、ウェブサイトを表示するプラウザ機能を搭載した通信端末であればスマートフォンやＰＤＡ等を用いて構成してもよい。
【００８５】
図８に示す携帯電話５０は、上述した第１実施形態と同様の構成として、表示部５１と、印刷条件設定部５２と、情報収集部５３と、印刷設定記憶部５４と、印刷指示発信手段５５とを備えている。そして、さらに、携帯電話５０は、アクセスしたウェブサイトのコンテンツデータのアクセスに必要なアドレス情報及び認証情報を含むアクセス情報と携帯電話５０の個別データとを閲覧情報としてプリントサーバ６０へ送信する閲覧情報送信手段５６を備えて構成されている。
【００８６】
図８に示すプリントサーバ６０は、携帯電話５０からの閲覧情報を受信する閲覧情報受信手段６８と、閲覧情報に従ってウェブサーバ１０にアクセスし対応するコンテンツデータを取得するコンテンツ取得手段６２と、この取得したコンテンツデータを携帯電話５０の個別データと対応付けて閲覧コンテンツ管理サーバ７０へ送信する閲覧コンテンツ送信手段６３と、携帯電話５０から発信された印刷指示情報を受信する印刷指示情報受信手段６１と、受信された印刷指示情報を閲覧コンテンツ管理サーバ７０へ転送する印刷指示転送手段６９とを備えている。
【００８７】
さらに、プリントサーバ６０は、上述した第１実施形態と同様の構成として、通知部６４と、データ形式変換手段６５と、データ圧縮手段６６と、ユーザデータ６７ａと複合機データ６７ｂとを記憶するデータベース６７とを備えて構成されて構成されている。
【００８８】
図９は、図８に示すプリントサーバの構成を示すブロック図である。閲覧情報受信手段６８は、受信した閲覧情報を一時格納する閲覧情報記憶部６８ａを備えている。
【００８９】
コンテンツ取得手段６２は、閲覧情報取得部６２ａと第１データベース参照部６２ｂとアクセス部６２ｃとを備えている。
【００９０】
閲覧情報取得部６２ａは、閲覧情報記憶部６８ａに記憶されている閲覧情報を取得し、その閲覧情報を第１データベース参照部６２ｂ及びアクセス部６２ｃへ送る機能を有している。第１データベース参照部６２ｂは、閲覧情報に認証が必要であることを示す情報が含まれている場合、データベース６７のユーザデータ６７ａを参照し対応する認証情報を取得しアクセス部６２ｃへ送る機能を有している。アクセス部６２ｃは、閲覧情報取得部６２ａ及び第１データベース参照部６２ｂより受け取ったアクセス情報に基づいてウェブサーバ１０にアクセスしコンテンツデータを取得する機能を有している。
【００９１】
印刷指示情報受信手段６１は、データベース６７のユーザデータ６７ａを参照し、受信した携帯電話５０の個別データと一致するデータレコードの有無を確認する第２データベース参照部６１ａと、第２データベース参照部６１ａにより一致するデータレコードの存在が確認された場合、携帯電話５０によるアクセスを許可し、一致するデータレコードが無い場合、携帯電話５０によるアクセスを拒否するアクセス制御部６１ｂと、アクセス制御部６１ｂによりアクセスが許可された場合、受信した印刷指示情報を記憶する受信データ記憶部６１ｃとを備えている。
【００９２】
印刷指示転送手段６９は、印刷指示情報取得部６９ａと第３データベース参照部６９ｂと送信部６９ｃとを備えている。
【００９３】
印刷指示情報取得部６９ａは、受信データ記憶部６１ｃに記憶されている印刷指示情報を取得し、その印刷指示情報を第３データベース参照部６９ｂに送る機能を有している。
【００９４】
第３データベース参照部６９ｂは、印刷指示情報取得部６９ａからの印刷設定情報のＬｏｃａｔｉｏｎ情報をキーに、データベース６７の複合機データ６７ｂを参照し、当該印刷設定情報の各分類が、該当する複合機で可能であるか否か判定し、可能である場合には、当該印刷設定情報をそのままにして印刷指示情報を送信部６９ｃへ送り、不可能なものがある場合は、可能な設定の中から最適なものに印刷設定情報を設定し直して印刷指示情報を送信部６９ｃへ送る機能を有している。ここで、通知部６４を介して、携帯電話５０に対して、指定した印刷設定情報では印刷できない旨を通知するようにしてもよい。印刷設定情報のＬｏｃａｔｉｏｎ情報をキーに複合機データ６７ｂを参照し、該当する複合機のＬｏｃａｔｉｏｎ情報がない場合、通知部６４を介して、ユーザが指定した複合機は利用不可であることを通知する。通知する際には、個別データを用いる。例えば、個別データに携帯電話５０のメールアドレスが用いられている場合、当該アドレスにメールを配信することにより通知を行う。
【００９５】
送信部６９ｃは、第３データベース参照部６９ｂから受け取った印刷指示情報を閲覧コンテンツ管理サーバ７０に送信する機能を有している。
【００９６】
図８に示す閲覧コンテンツ管理サーバ７０は、プリントサーバ６０からの個別データに対応付けられたコンテンツデータを蓄積する閲覧コンテンツ記憶部７１と、プリントサーバ６０から転送された印刷指示情報に従って閲覧コンテンツ記憶部７１から対応するコンテンツデータを選出するコンテンツ選出手段７２と、この選出されたコンテンツデータを複合機３０へ送信する印刷データ送信手段７３と、閲覧コンテンツ記憶部７１に記憶されたコンテンツデータに対して有効期限に達しているか否かを判定する有効期限判定手段７４と、有効期限に達しているコンテンツデータを消去するコンテンツ消去手段７５とを備えて構成されている。
【００９７】
閲覧コンテンツ記憶部７１は、図１０に示すように、携帯電話の個別データ毎に閲覧コンテンツを記憶しており、各コンテンツには有効期限が設定されている。この有効期限は、携帯電話５０から送信される閲覧情報に予め含ませておき、プリントサーバ６０の閲覧コンテンツ送信手段６３が、その有効期限とコンテンツデータを対応付けて送信するような構成が考えられる。
【００９８】
コンテンツ消去手段７５が、有効期限に達しているコンテンツデータを消去することで、閲覧コンテンツ記憶部７１の記憶容量がいっぱいになることを防止すると共に、無駄なコンテンツデータの長期保存による情報漏洩のリスクを低減することができる。
【００９９】
図８に示す複合機３０は、上述した第１実施形態と同様の構成であり、受信部３１と、データ解凍手段３２と、準備完了通知部３３と、印刷開始指示部３４と、印刷部３５とを備えている。
【０１００】
次に、本第１実施形態の全体の動作について説明する。ここで、本発明にかかる印刷方法についても、その各工程を示して説明する。
【０１０１】
図１１及び図１２は、本第１実施形態の印刷システムの全体の動作を示すシーケンス図である。ここで、本発明の印刷方法についても、その各工程を示して説明する。
【０１０２】
まず、携帯電話２０は、ユーザの操作によってブラウザが起動され、ＵＲＬアドレスやパスワード等のアクセス情報が入力されると、そのアクセス情報に従ってウェブサーバ１０にアクセスする（図１１：ステップＳ２０）。それと同時に、このアクセス情報が、閲覧情報送信手段５６によってプリントサーバ６０へ送信される（図１１：ステップＳ２１，アクセス情報送信工程）。
【０１０３】
ウェブサーバ１０にアクセスした携帯電話２０では、ウェブサーバ１０に格納されているウェブページデータを読み込む（図１１：ステップＳ２２）。そして、表示部５１によって、パソコン用サイト、または、携帯用サイトのウェブページが画面に表示される（図１１：ステップＳ２３）。
【０１０４】
プリントサーバ６０では、携帯電話５０からアクセス情報を受信し、このアクセス情報を基にウェブサーバ１０へアクセスし（図１１：ステップＳ２４）、コンテンツ取得手段６２がコンテンツデータをダウンロードする（図１１：ステップＳ２５，コンテンツデータ取得工程）。このとき、プリントサーバ６０がウェブサーバ１０のウェブサイトにアクセスするためにＩＤ・パスワード入力が必要な場合、プリントサーバ６０は、携帯電話５０から受信したアクセス情報に含まれるＩＤ・パスワードなどの認証情報を入力し、サイトにアクセスする。
【０１０５】
ここで、上述したプリントサーバ６０がアクセス情報を受信する動作及びコンテンツデータ取得工程については、その内容をプログラム化しデータアクセス情報受信処理及びデータ読込処理としてプリントサーバ６０の動作を制御するコンピュータに実行させてもよい。
【０１０６】
続いてさらに、プリントサーバ６０では、データ形式変換手段６５が、ダウンロードされたコンテンツデータの形式を複合機３０で印刷可能なデータ形式に変換し（図１１：ステップＳ２６）、データ圧縮手段６６がそのコンテンツデータを圧縮する（図１１：ステップＳ２７）。そして、閲覧コンテンツ送信手段６３が、このコンテンツデータを閲覧コンテンツ管理サーバ７０へ送信する（図１１：ステップＳ２８，コンテンツデータ送信工程）。
【０１０７】
閲覧コンテンツ管理サーバ７０では、閲覧コンテンツ記憶部７１にプリントサーバ６０からのコンテンツデータが蓄積される（図１１：ステップＳ２９，コンテンツデータ記憶工程）。ここで、このコンテンツデータ記憶工程については、その内容をプログラム化しコンテンツデータ記憶処理として閲覧コンテンツ管理サーバ７０の動作を制御するコンピュータに実行させてもよい。
【０１０８】
さらに、閲覧コンテンツ管理サーバ７０では、有効期限判定手段７４が、蓄積しているコンテンツデータに対して有効期限に達しているか否かを判定し（図１１：ステップＳ３０，有効期限判定工程）、コンテンツ消去手段７５が、有効期限に達しているコンテンツデータを消去する（図１１：ステップＳ３１，コンテンツ消去工程）。
【０１０９】
ここで、この有効期限判定工程及びコンテンツ消去工程については、その内容をプログラム化し有効期限判定処理及びコンテンツ消去処理としてプリントサーバ６０の動作を制御するコンピュータに実行させてもよい。
【０１１０】
そして、ユーザが特定のウェブサイトのコンテンツを印刷しようとする場合に、携帯電話２０において、ユーザの操作により、印刷するウェブサイト内のコンテンツが指定され、そのコンテンツを印刷するための印刷条件データが印刷条件設定部５２に入力される（図１２：ステップＳ３２）。印刷条件データが入力されると、印刷するコンテンツデータにアクセスするためのアクセス情報と印刷設定情報とを含む印刷指示情報が情報収集部５３によって収集され、印刷指示発信手段５５によりプリントサーバ６０へ発信される（図１２：ステップＳ３３，印刷指示発信工程）。
【０１１１】
プリントサーバ６０では、印刷指示情報受信手段６１が携帯電話１０から印刷指示情報を受信し、この印刷指示情報を印刷指示転送手段６９が閲覧コンテンツ管理サーバ７０へ転送する（図１２：ステップＳ３４，印刷指示転送工程）。閲覧コンテンツ管理サーバ７０では、プリントサーバ６０から転送された印刷指示情報を受信し、コンテンツ選出手段７２が、この印刷指示情報に指定されたコンテンツデータを選出し（図１２：ステップＳ３５，印刷データ選出工程）、印刷データ送信手段７３が、そのコンテンツデータと印刷設定情報とを複合機３０へ送信する（図１２：ステップＳ３６，印刷データ送信工程）。
【０１１２】
ここで、上述した閲覧コンテンツ管理サーバ７０が印刷指示情報を受信する動作，印刷データ選出工程及び印刷データ送信工程については、その内容をプログラム化し印刷指示情報受信処理，印刷データ読込処理及び印刷指示処理として閲覧コンテンツ管理サーバ７０の動作を制御するコンピュータに実行させてもよい。
【０１１３】
続いて、複合機３０では、受信部３１が、閲覧コンテンツ管理サーバ７０から送信されたコンテンツデータと印刷設定情報とを受信し、データ解凍手段３２が圧縮されているコンテンツデータを解凍する（図１２：ステップＳ３７，データ解凍工程）。そして、印刷部３５が、印刷設定情報に基づいてコンテンツデータを印刷する（図１２：ステップＳ３８，印刷工程）。
【０１１４】
ここで、本第２実施形態は、プリントサーバ６０と閲覧コンテンツ管理サーバ７０とを設けて構成されているが、それに限らず、プリントサーバ６０と閲覧コンテンツ管理サーバ７０とに代えて、プリントサーバ６０と閲覧コンテンツ管理サーバ７０の両方の機能を兼ね備えたサーバを設けて構成してもよい。更に別の構成として、プリントサーバ６０と閲覧コンテンツ管理サーバ７０の機能が複合機３０に搭載されて構成されてもよい。
【０１１５】
このような第２実施形態は、ユーザが携帯電話２０で閲覧したウェブサイトのコンテンツデータを閲覧コンテンツ管理サーバ７０に蓄積しておくことで、印刷したいコンテンツデータがある場合にまとめて印刷することができる。
【図面の簡単な説明】
【０１１６】
【図１】本発明にかかる第１実施形態の全体構成を示すブロック図である。
【図２】図１に開示された実施形態におけるプリントサーバの構成を示すブロック図である。
【図３】図１に開示された実施形態における携帯電話の印刷設定記憶部が記憶しているデータの構成を示す図である。
【図４】図１に開示された実施形態における携帯電話が発信する印刷指示情報を示す図である。
【図５】図１に開示された実施形態におけるプリントサーバが記憶しているユーザデータを示す図である。
【図６】図１に開示された実施形態におけるプリントサーバが記憶している複合機データを示す図である。
【図７】図１に開示された実施形態の全体の動作を示すシーケンス図である。
【図８】本発明にかかる第２実施形態の全体構成を示すブロック図である。
【図９】図８に開示された実施形態におけるプリントサーバの構成を示すブロック図である。
【図１０】図８に開示された実施形態における閲覧コンテンツ管理サーバが記憶するコンテンツデータを示す図である。
【図１１】図８に開示された実施形態の全体の動作を示すシーケンス図である。
【図１２】図８に開示された実施形態の全体の動作を示すシーケンス図である。
【符号の説明】
【０１１７】
１０  ウェブサーバ
２０，５０  携帯電話（端末）
２１，５１  表示部
２２，５２  印刷条件設定部
２３，５３  情報収集部
２４，５４  印刷設定記憶部
２５，５５  印刷指示発信手段
５６  閲覧情報送信手段
３０  複合機（プリンタ）
３１  受信部
３２  データ解凍手段
３３  準備完了通知部
３４  印刷開始指示部
３５  印刷部
４０，６０  プリントサーバ
４１，６１  印刷指示情報受信手段
４２  印刷データ取得手段
６２  コンテンツ取得手段
４３  印刷データ送信手段
６３  閲覧コンテンツ送信手段
４４，６４  通信部
４５，６５  データ形式変換手段
４６，６６  データ圧縮手段
４７，６７  データベース
６８  閲覧情報受信手段
７０  閲覧コンテンツ管理サーバ
７１  閲覧コンテンツ記憶部
７２  コンテンツ選出手段
７３  印刷データ送信手段
７４  有効期限判定手段
７５  コンテンツ消去手段
【図１】
2008040991.tif 000003
【図２】
2008040991.tif 000004
【図３】
2008040991.tif 000005
【図４】
2008040991.tif 000006
【図５】
2008040991.tif 000007
【図６】
2008040991.tif 000008
【図７】
2008040991.tif 000009
【図８】
2008040991.tif 000010
【図９】
2008040991.tif 000011
【図１０】
2008040991.tif 000012
【図１１】
2008040991.tif 000013
【図１２】
2008040991.tif 000014